(57)【要約】【課題】Ｗｅｂデータの未読を減らすことができないという問題点を解決する印刷管理装置を提供する。【解決手段】ユーザ格納部２２２は、ブログデータのアドレスを格納する。ブログ制御部２１１は、定期的に、ユーザ格納部２２２内のアドレスが指定するブログデータが更新されたか否かを判定する。ブログ制御部２１１は、そのブログデータが更新されたと判定すると、そのブログデータを、そのブログデータを格納するＷｅｂサーバから取得する。送信部２０４は、ブログ制御部２１１が取得したブログデータを印刷システムに送信する。【選択図】図７
2009048325.tif 000002
【特許請求の範囲】
【請求項１】
印刷装置と接続可能な印刷管理装置であって、
Ｗｅｂデータのアドレスを格納する格納部と、
定期的に、前記格納部内のアドレスが指定するＷｅｂデータが更新されたか否を判定し、前記Ｗｅｂデータが更新されたと判定すると、前記Ｗｅｂデータを、該Ｗｅｂデータを格納するサーバから取得するＷｅｂ制御部と、
前記Ｗｅｂ制御部が取得したＷｅｂデータを前記印刷装置に送信する送信部と、を含む印刷管理装置。
【請求項２】
請求項１に記載の印刷管理装置において、
前記Ｗｅｂデータは、一つまたは複数の記事データを含み、前記記事データには、該記事データが最後に更新された記事最終更新日時が付けられ、
前記格納部は、前記Ｗｅｂデータを前記印刷装置に送信した送信日時を格納し、
前記送信部は、前記送信日時より進んだ前記記事最終更新日時が付けられた、前記Ｗｅｂデータ内の記事データを送信する、印刷管理装置。
【請求項３】
請求項２に記載の印刷管理装置において、
前記Ｗｅｂデータには、該Ｗｅｂデータが最後に更新されたＷｅｂ最終更新日時が付けられ、
前記格納部は、所定時間を示す所定時間情報を格納し、
前記Ｗｅｂ制御部が取得したＷｅｂデータと該Ｗｅｂデータに付けられたＷｅｂ最終更新日時とを格納する記憶部と、
前記所定時間情報が示す所定時間ごとに、前記記憶部内のＷｅｂ最終更新日時が前記格納部内の送信日時より進んでいるか否かを判定する判定部と、を含み、
前記送信部は、前記判定部にて前記Ｗｅｂ最終更新日時が前記送信日時より進んでいると判定されると、前記記事データを前記印刷装置に送信する、印刷管理装置。
【請求項４】
請求項３に記載の印刷管理装置において、
前記格納部は、前記判定部にて前記Ｗｅｂ最終更新日時が前記送信日時より進んでいると判定されると、前記Ｗｅｂ最終更新日時を前記送信日時として格納する、印刷管理装置。
【請求項５】
請求項３または４に記載の印刷管理装置において、
端末と接続可能であり、
前記端末から、前記所定時間情報を受信する受信部を含み、
前記格納部は、前記受信部が受信した所定時間情報を格納する、印刷管理装置。
【請求項６】
定期的に、予め格納されたアドレスが指定するＷｅｂデータが更新されたか否を判定する判定ステップと、
前記Ｗｅｂデータが更新されたと判定されると、前記Ｗｅｂデータを、該Ｗｅｂデータを格納するサーバから取得する取得ステップと、
前記取得されたＷｅｂデータを印刷装置に送信する送信ステップと、を含む印刷管理方法。
【請求項７】
請求項６に記載の印刷管理方法において、
前記Ｗｅｂデータは、一つまたは複数の記事データを含み、前記記事データには、該記事データが最後に更新された記事最終更新日時が付けられ、
前記Ｗｅｂデータを前記印刷装置に送信した送信日時を格納する格納ステップを含み、
前記送信ステップでは、前記送信日時より進んだ前記記事最終更新日時が付けられた、前記Ｗｅｂデータ内の記事データを送信する、印刷管理方法。
【請求項８】
請求項７に記載の印刷管理方法において、
前記Ｗｅｂデータには、該Ｗｅｂデータが最後に更新されたＷｅｂ最終更新日時が付けられ、
前記取得されたＷｅｂデータと、該Ｗｅｂデータに付けられたＷｅｂ最終更新日時とを格納する記憶ステップと、
予め格納された所定時間情報が示す所定時間ごとに、前記格納されたＷｅｂ最終更新日時が前記送信日時より進んでいるか否かを判定する判断ステップと、を含み、
前記送信ステップでは、前記Ｗｅｂ最終更新日時が前記送信日時より進んでいると判定されると、前記記事データを前記印刷装置に送信する、印刷管理方法。
【請求項９】
請求項８に記載の印刷管理方法において、
前記格納ステップでは、前記Ｗｅｂ最終更新日時が前記送信日時より進んでいると判定されると、前記Ｗｅｂ最終更新日時を前記送信日時として格納する、印刷管理方法。
【請求項１０】
請求項８または９に記載の印刷管理方法において、
前記所定時間情報を受信する受信ステップと、
前記受信された所定時間情報を格納する時間格納ステップと、を含む、印刷管理方法。
【発明の詳細な説明】
【技術分野】
【０００１】
本発明は、印刷管理装置および印刷管理方法に関し、特には、情報を印刷してその印刷物を配達するための印刷管理装置および印刷管理方法に関する。
【背景技術】
【０００２】
インターネットなどの通信システムの発展により、ＰＣなどの端末を用いて新聞記事などの情報を容易に閲覧できるようになっている。しかしながら、このような閲覧方法では、インターネットの接続時間を十分に取ることが難しい多忙なユーザなどの場合、未読の記事が溜まってしまうという問題があった。未読の記事を減らすために、ユーザは、携帯電話を使用して、通勤中の電車内などにおいて、その記事を閲覧することが可能である。しかしながら、現在の携帯電話では、画面サイズの制約から文字が非常に小さく、可読性が悪い。
【０００３】
可読性を向上させて未読の記事を減らすことが可能な技術には、特許文献１に記載のメディア配達システムがある。このシステムでは、予め記事が格納されたデータベースが用意される。そのデータベース内の記事が、個人情報に応じて個人用の記事に編集される。また、その個人用の記事が印刷され、その印刷物が個人に配達される。
【０００４】
これにより、所望の記事を印刷物で閲覧することが可能になるため、可読性が向上し、未読の記事を減らすことが可能になる。
【特許文献１】特開２００６−２６８６８１号公報
【発明の開示】
【発明が解決しようとする課題】
【０００５】
近年、ブログ（ウェブ ログ：Blog）と呼ばれる、主に個人によって運営されるＷｅｂサイトが急増しており、ブログの閲覧が情報収集において重要なものの一つになっている。ユーザは、端末のインターネットの接続機能を使用して、そのブログデータを格納したＷｅｂサーバにアクセスすることで、ブログを閲覧する。ブログを閲覧するユーザが多忙であると、新聞記事などと同様に、未読のブログが溜まってしまうという問題が生じる。
【０００６】
特許文献１に記載のメディア配達システムは、未読の新聞記事を減らすことを想定している。このメディア配達システムでは、個人用の記事の内容をＷＷＷサーバなどのデータベースから検索し、その内容を有するデータベースへのリンク情報を印刷しているが、ユーザなどが指定したＷｅｂサイトのデータ（Ｗｅｂデータ）の未読を減らすことはできない。
【０００７】
そこで、本発明の目的は、上述した課題である、Ｗｅｂデータの未読を減らすことはできないという問題点を解決する印刷管理装置および印刷管理方法を提供することである。
【課題を解決するための手段】
【０００８】
本発明の印刷管理装置は、印刷装置と接続可能な印刷管理装置であって、Ｗｅｂデータのアドレスを格納する格納部と、定期的に、前記格納部内のアドレスが指定するＷｅｂデータが更新されたか否を判定し、前記Ｗｅｂデータが更新されたと判定すると、前記Ｗｅｂデータを、該Ｗｅｂデータを格納するサーバから取得するＷｅｂ制御部と、前記Ｗｅｂ制御部が取得したＷｅｂデータを前記印刷装置に送信する送信部と、を含む。
【０００９】
また、本発明の印刷管理方法は、定期的に、予め格納されたアドレスが指定するＷｅｂデータが更新されたか否を判定する判定ステップと、前記Ｗｅｂデータが更新されたと判定されると、前記Ｗｅｂデータを、該Ｗｅｂデータを格納するサーバから取得する取得ステップと、前記取得されたＷｅｂデータを印刷装置に送信する送信ステップと、を含む。
【発明の効果】
【００１０】
本発明によれば、Ｗｅｂサイトの未読を減らすことが可能になる。
【発明を実施するための最良の形態】
【００１１】
以下、本発明の実施形態について図面を参照して説明する。
【００１２】
図１は、本発明の一実施形態の管理サーバを示したブロック図である。
【００１３】
図１は、本発明の一実施形態の配達システムを示したブロック図である。図１において、配達システムは、Ｗｅｂ端末１１１と、管理サーバ１２１と、印刷システム１２２とを含む。なお、Ｗｅｂ端末１１１は、ユーザ宅１１０に配置され、管理サーバ１２１および印刷システム１２２は、本配達サービスを行うサービス提供会社１２０に配置される。
【００１４】
ここで、管理サーバ１２は、Ｗｅｂ端末１１１およびＷｅｂサーバ１３１とインターネット１００を介して相互に接続可能である。また、管理サーバ１２１は、印刷システム１２２と相互に接続可能である。
【００１５】
Ｗｅｂサーバ１３１は、ブログを示すブログデータを格納する。ブログデータには、そのブログデータが最後に更新されたＷｅｂ最終更新日時が付けられている。また、ブログデータは、一つまたは複数の記事データを含む。記事データには、その記事データが最後に更新された記事最終更新日時が付けられている。なお、ブログデータは、Ｗｅｂデータの一例である。
【００１６】
Ｗｅｂ端末１１１は、ユーザが印刷物で購読（閲覧）するブログデータを登録する旨の登録指示を管理サーバ１２１に送信する。登録指示は、そのブログデータのアドレス（ＵＲＩなど）と、配達間隔情報と、ユーザの識別子とを含む。配達間隔情報は、そのブログデータを印刷した印刷物の配達時間を示す。なお、配達間隔情報は、所定時間情報の一例であり、配達時間は、所定時間の一例である。また、アドレスは、一つでもよいし、複数でもよい。さらに、本実施形態では、アドレスは、Ｗｅｂサーバ１３１内のブログデータを指定するものとする。
【００１７】
管理サーバ１２１は、ブログデータの印刷を管理する印刷管理装置である。
【００１８】
図２は、管理サーバ１２１の構成例を示したブロック図である。図２において、管理サーバ１２１は、受信部２０１と、ブログ管理部２０２と、ユーザ管理部２０３と、送信部２０４を含む。
【００１９】
受信部２０１は、Ｗｅｂ端末１１１から登録指示を受信する。
【００２０】
ブログ管理部２０２は、受信部２０１が受信した登録指示内のアドレスが指定するブログデータを管理する。
【００２１】
ブログ管理部２０２は、ブログ制御部２１１と、ブログ格納部２１２とを含む。
【００２２】
ブログ制御部２１１は、受信部２０１が登録指示を受信すると、その登録指示内のアドレスが指定するブログデータを取得し、そのブログデータに応じてブログエントリを生成する。ブログ格納部２１２は、ブログ制御部２１１が生成したブログエントリを格納する。なお、ブログ制御部２１１は、Ｗｅｂ制御部の一例であり、ブログ格納部２１２は、記憶部の一例である。
【００２３】
ブログエントリは、そのブログデータと、そのブログデータに付けられたＷｅｂ最終更新日時と、そのブログデータのアドレスとを含む情報である。
【００２４】
図３は、ブログエントリの一例を示した説明図である。図３において、ブログエントリ３００は、ＵＲＩ３０１と、最終更新日時３０２と、記事データ３０３とを含む。
【００２５】
ＵＲＩ３０１は、ブログデータのアドレスである。最終更新日時３０２は、ブログデータが最後に更新されたＷｅｂ最終更新日時である。記事データ３０３は、ブログデータである。
【００２６】
図２に戻る。ブログ制御部２１１は、ブログデータを取得すると、その後、定期的に、ユーザ管理部２０３内のアドレスが指定しているブログデータが更新されたか否かを判定する。
【００２７】
具体的には、ブログ制御部２１１は、そのブログエントリのアドレスが指定するブログデータを格納するＷｅｂサーバ１３１ｂにアクセスして、そのブログデータに付けられたＷｅｂ最終更新日時を確認する。ブログ制御部２１１は、その確認したＷｅｂ最終更新日時がそのブログエントリのＷｅｂ最終更新日時より進んでいるか否かを判定する。
【００２８】
このとき、ブログ制御部２１１は、その確認したＷｅｂ最終更新日時がそのブログエントリのＷｅｂ最終更新日時より進んでいると、そのブログデータが更新されたと判定し、一方、その確認したＷｅｂ最終更新日時がそのブログエントリのＷｅｂ最終更新日時より進んでいないと、そのブログデータが更新されていないと判定する。
【００２９】
また、Ｗｅｂサーバ１３１が、自サーバが格納するブログデータが更新されると、更新された旨を送信する場合、ブログ制御部２１１は、その旨を受信したときにそのブログデータが更新されたと判定してもよい。
【００３０】
ブログ制御部２１１は、そのブログデータが更新されたと判定すると、そのブログデータを取得し、その取得したブログデータに応じて、そのブログエントリを更新する。具体的には、ブログ制御部２１１は、その取得したブログデータと、そのブログデータに付けられた最終更新日時を、ブログ格納部２１２内のブログエントリのブログデータおよび最終更新日時に更新する。
【００３１】
ユーザ管理部２０３は、ユーザに関する情報を管理する。
【００３２】
ユーザ管理部２０３は、ユーザ制御部２２１と、ユーザ格納部２２２とを含む。
【００３３】
ユーザ制御部２２１は、受信部２０１が受信した登録指示に応じてユーザエントリを生成する。ユーザ格納部２２２は、ユーザ制御部２２１が生成したユーザエントリを格納する。なお、ユーザ制御部２２１は、判定部の一例であり、ユーザ格納部２２２は、格納部の一例である。
【００３４】
ユーザエントリは、その登録指示内の識別子および配達間隔情報と、ユーザが購読するブログデータに関する購読ブログエントリとを含む。また、購読ブログエントリは、その登録指示内のアドレスと、そのアドレスが指定するブログデータを印刷システム１２２に送信した送信日時とを含む。なお、登録指示内にアドレスが複数ある場合、ユーザエントリは、その複数のアドレスのそれぞれに応じた複数の購読ブログエントリを含む。
【００３５】
図４は、ユーザエントリの一例を示した説明図である。図４において、ユーザエントリ４００は、識別子４０１と、配達間隔情報４０２と、購読ブログエントリ４０３とを含む。また、購読ブログエントリ４０３は、ＵＲＩ４０４と、Ｗｅｂ最終更新日時４０５とを含む。
【００３６】
識別子４０１は、ユーザを特定する。配達間隔情報４０２は、ユーザが購読するブログデータを印刷した印刷物の配達時間を示す。購読ブログエントリ４０３は、ユーザが購読するブログデータに関する情報を示す。ＵＲＩ４０４は、ユーザが購読するブログデータのアドレスである。Ｗｅｂ最終更新日時４０５は、ユーザが購読するブログデータを印刷システム１２２に送信した送信日時であり、その送信したブログデータのＷｅｂ最終更新日時である。
【００３７】
図２に戻る。ユーザ制御部２２１は、ユーザ格納部２２２内のユーザエントリごとに、そのユーザエントリの配達間隔情報が示す配達時間ごとに、以下の処理を行う。つまり、ユーザ制御部２２１は、そのユーザエントリの購読ブログエントリごとに、その購読ブログのアドレスを含む、ブログ格納部２１２内のブログエントリのＷｅｂ最終更新日時が、その購読ブログエントリの送信日時より進んでいるか否かを判定する。
【００３８】
ユーザ制御部２２１は、そのＷｅｂ最終更新日時がその送信日時より進んでいると判定すると、そのＷｅｂ最終更新日時を送信日時としてユーザ格納部２２２に格納する。
【００３９】
送信部２０４は、ユーザ制御部２２１にてそのＷｅｂ最終更新日時がその送信日時より進んでいると判定されると、そのブログエントリのブログデータと、そのユーザエントリの識別子とを印刷データとして印刷システム１２２に送信する。このとき、送信部２０４は、その送信日時より進んだ記事最終更新日時が付けられた、ブログエントリのブログデータ内の記事データを送信する。
【００４０】
図１に戻る。印刷システム１２２は、管理サーバ１２１から、印刷データを受信すると、その印刷データを印刷する。このとき、印刷システム１２２は、例えば、印刷データを新聞紙に印刷する。この場合、ユーザは、ブログデータを新聞と同じように読める。
【００４１】
印刷システム１２２で印刷された印刷物は、新聞集配所１４０に輸送される。また、その輸送された印刷物は、ユーザ宅１１０に配達される。このとき、ユーザ宅１１０の住所などは、予め識別子とユーザの住所および氏名とを対応付けた表を用いて特定してもよいし、その識別子をユーザの住所および氏名にすることで特定してもよい。
【００４２】
次に動作を説明する。
【００４３】
先ず、購読するブログデータを登録する登録処理の動作について説明する。図５は、この動作を説明するためのフローチャートである。
【００４４】
ステップＳ５０１では、Ｗｅｂ端末１１１は、登録指示を管理サーバ１２１の受信部２０１に送信する。受信部２０１は、その登録指示を受信すると、その登録指示をユーザ制御部２２１に送信する。ユーザ制御部２２１は、その登録指示を受信すると、ステップＳ５０２を実行する。
【００４５】
ステップＳ５０２では、ユーザ制御部２２１は、その登録指示内の識別子および配達間隔情報を含むユーザエントリを生成する。また、ユーザ制御部２２１は、その登録指示内のアドレスごとにそのアドレスを含む購読ブログエントリを生成し、その購読ブログエントリをそのユーザエントリに追加する。ユーザ制御部２２１は、その追加されたユーザエントリを、ユーザ格納部２２２に格納する。ユーザ制御部２２１は、ステップＳ５０２を終了すると、ステップＳ５０３を実行する。
【００４６】
ステップＳ５０３では、ユーザ制御部２２１は、そのユーザエントリのアドレスをブログ制御部２１１に送信する。ブログ制御部２１１は、そのアドレスを受信すると、そのアドレスが指定するブログデータを格納するＷｅｂサーバ１３１にアクセスして、そのブログデータを取得する。ブログ制御部２１１は、ステップＳ５０３を終了すると、ステップＳ５０４を実行する。
【００４７】
ステップＳ５０４では、ブログ制御部２１１は、その取得したブログデータと、そのブログデータに付けられたＷｅｂ最終更新日時と、その受信したアドレスとを含むブログエントリを生成し、そのブログエントリをブログ格納部２１２に格納する。ブログ制御部２１１は、ステップＳ５０４を終了すると、ステップＳ５０５を実行する。
【００４８】
ステップＳ５０５では、ブログ制御部２１１は、その識別子、アドレスおよびＷｅｂ最終更新日時をユーザ制御部２２１に送信する。ユーザ制御部２２１は、その識別子、アドレスおよびＷｅｂ最終更新日時を受信すると、そのＷｅｂ最終更新日時を、その識別子を含む、ユーザ格納部２２２内のユーザエントリに追加する。このとき、ユーザ制御部２２１は、そのＷｅｂ最終更新日時を、そのユーザエントリの、そのアドレスを含む購読ブログエントリに送信日時として追加する。
【００４９】
次に、登録されたブログデータを印刷する印刷処理の動作について説明する。図６は、この動作を説明するためのフローチャートである。
【００５０】
ブログ制御部２１１は、図５のステップＳ５０５でアドレスをユーザ制御部２２１に送信した後で、一定期間が経過すると、ステップＳ６０１を実行する。
【００５１】
ステップＳ６０１では、ブログ制御部２１１は、ブログ格納部２１２内のブログエントリごとに、そのブログエントリのアドレスが指定するブログデータが更新されたか否かを判定する。
【００５２】
具体的には、先ず、ブログ制御部２１１は、そのブログエントリのアドレスが指定するブログデータを格納するＷｅｂサーバ１３１ｂにアクセスして、そのブログデータに付けられたＷｅｂ最終更新日時を確認する。ブログ制御部２１１は、その確認したＷｅｂ最終更新日時がそのブログエントリのＷｅｂ最終更新日時より進んでいるか否かを判定する。
【００５３】
ブログ制御部２１１は、その確認したＷｅｂ最終更新日時がそのブログエントリのＷｅｂ最終更新日時より進んでいると、そのブログデータが更新されたと判定し、一方、その確認したＷｅｂ最終更新日時がそのブログエントリのＷｅｂ最終更新日時より進んでいないと、そのブログデータが更新されていないと判定する。
【００５４】
ブログ制御部２１１は、そのブログデータが更新されたと判定すると、そのブログデータを取得し、そのブログデータに応じて、そのブログ格納部２１２内のブログエントリを更新する。一方、ブログ制御部２１１は、そのブログデータが更新されていないと判定されると、処理を終了する。
【００５５】
なお、そのブログエントリのアドレスは、ユーザ格納部２２２内のアドレスと同じであるため、ブログ制御部２１１は、ユーザ格納部２２２内のアドレスが指定するブログデータが更新されたか否かを判定することになる。
【００５６】
ブログ制御部２１１は、上記の処理を定期的に行なう。また、ユーザ制御部２２１は、ユーザ格納部２２２内のユーザエントリのそれぞれに対して、そのユーザエントリの配達間隔情報が示す配達時間ごとに、ステップＳ６０２を実行する。
【００５７】
ステップＳ６０２では、ユーザ制御部２２１は、そのユーザエントリの購読ブログエントリごとに、その購読ブログエントリのアドレスが指定するブログデータのＷｅｂ最終更新日時の取得要求をブログ制御部２１１に送信する。なお、日時取得要求は、そのユーザエントリの識別子と、その購読ブログエントリのアドレスを含む。
【００５８】
ブログ制御部２１１は、その取得要求を受信すると、その取得要求内のアドレスを含むブログエントリのＷｅｂ最終更新日時を、ブログ格納部２１２から取得する。ブログ制御部２１１は、その取得したＷｅｂ最終更新日時と、その取得要求内のアドレスおよび識別子をユーザ制御部２２１に送信する。ユーザ制御部２２１は、そのＷｅｂ最終更新日時、アドレスおよび識別子を受信すると、ステップＳ６０３を実行する。
【００５９】
ステップＳ６０３では、ユーザ制御部２２１は、その受信した識別子を含むユーザエントリの、そのアドレスを含む購読エントリの送信日時を確認する。ユーザ制御部２２１は、その受信したＷｅｂ最終更新日時がその確認した送信日時より進んでいるか否かを判定する。ユーザ制御部２２１は、そのＷｅｂ最終更新日時がその送信日時より進んでいると、ステップＳ６０４を実行し、そのＷｅｂ最終更新日時がその送信日時より進んでいないと、処理を終了する。
【００６０】
ステップＳ６０４では、ユーザ制御部２２１は、そのＷｅｂ最終更新日時を、そのユーザ格納部２２２に、その購読エントリの送信日時として格納する。また、ユーザ制御部２２１は、そのアドレスが指定するブログデータの送信要求をブログ制御部２１１に送信する。なお、その送信要求は、そのアドレスおよび識別子を含む。
【００６１】
また、ブログ制御部２１１は、その送信要求を受信すると、ステップＳ６０５を実行する。
【００６２】
ステップＳ６０５では、ブログ制御部２１１は、その送信要求内のアドレスを含むブログエントリのブログデータから、その送信日時より進んでいる記事最終更新日時が付けられた記事データを抽出する。ブログ制御部２１１は、その抽出した記事データと、送信要求内の識別子とを、印刷データとして送信部２０４に送信する。送信部２０４は、その印刷データを受信すると、その印刷データを印刷システム１２２に送信する。印刷システム１２２は、その印刷データを受信すると、その印刷データを印刷する。なお、記事データおよび識別子の対応が分かれば、その記事データおよび識別子を同じ用紙に印刷する必要はない。
【００６３】
その後、印刷された印刷物は、新聞集配所１４０に輸送される。また、その輸送された印刷物は、ユーザ宅１１０に配達される。
【００６４】
次に効果を説明する。
【００６５】
本実施形態によれば、ユーザ格納部２２２は、ブログデータのアドレスを格納する。ブログ制御部２１１は、定期的に、ユーザ格納部２２２内のアドレスが指定するブログデータが更新されたか否かを判定する。ブログ制御部２１１は、そのブログデータが更新されたと判定すると、そのブログデータを、そのブログデータを格納するＷｅｂサーバ１３１から取得する。送信部２０４は、ブログ制御部２１１が取得したブログデータを印刷システム１２１に送信する。
【００６６】
これにより、ブログデータが更新されると、その更新されたブログデータが印刷システムに送信される。なお、上述のようにブログデータはＷｅｂデータの一例である。
【００６７】
したがって、更新されたＷｅｂデータを印刷することが可能になり、未読のＷｅｂデータを印刷物で閲覧することが可能になる。したがって、Ｗｅｂデータの閲覧に対する可読性を向上させることが可能になり、Ｗｅｂデータの未読を減らすことが可能になる。
【００６８】
また、本実施形態では、ブログデータは、一つまたは複数の記事データを含み、その記事データには、その記事データが最後に更新された記事最終更新日時が付けられている。また、ユーザ格納部２２２は、ブログデータを印刷システム１２２に送信した送信日時を格納する。送信部２０４は、その送信日時より進んだ記事最終更新日時が付けられた、ブログデータ内の記事データを送信する。
【００６９】
これにより、記事最終更新日時が送信日時より進んだ、ブログデータ内の記事データが送信される。よって、ブログデータの、未読の記事データだけを印刷することが可能になり、ブログデータを印刷した印刷物が、未読を減らすことにより適したものになる。
【００７０】
また、本実施形態では、ブログデータには、そのブログデータが最後に更新されたＷｅｂ最終更新日時が付けられる。また、ユーザ格納部２２２は、配達間隔情報を格納する。ブログ格納部２１２は、ブログ制御部２１１が取得したブログデータと、そのブログデータに付けられたＷｅｂ最終更新日時とを格納する。ユーザ制御部２２１は、配達間隔情報が示す配達時間ごとに、ブログ格納部２１２内のＷｅｂ最終更新日時がユーザ格納部２２２内の送信日時より進んでいるか否かを判定する。送信部２０４は、ユーザ制御部２２１にてＷｅｂ最終更新日時が送信日時より進んでいると判定されると、記記事最終更新日時が送信日時より進んだ、ブログデータ内の記事データを印刷システム１２２に送信する。
【００７１】
これにより、配達時間ごとに、Ｗｅｂ最終更新日時がユーザ格納部２２２内の送信日時より進んでいるか否かが判定される。また、Ｗｅｂ最終更新日時が送信日時より進んでいると、記事データが印刷システム１２２に送信される。よって、ブログデータの更新頻度が高い場合でも、配達時間ごとに、更新されたブログデータ一括して印刷することが可能になる。したがって、印刷物を数多く配達したり、受け取ったりすることを抑制することが可能になる。
【００７２】
また、本実施形態では、ユーザ格納部２２２は、ユーザ制御部２２１にてＷｅｂ最終更新日時が送信日時より進んでいると判定されると、そのＷｅｂ最終更新日時を送信日時として格納する。
【００７３】
これにより、送信日時を測定しなくても、送信日時を格納することが可能になる。
【００７４】
また、本実施形態では、受信部２０１は、Ｗｅｂ端末１１１から配達間隔情報を受信する。ユーザ格納部２２２は、受信部２０１が受信した配達間隔情報を格納する。これにより、ユーザが印刷物を配達する時間を設定することが可能になる。
【００７５】
次に、管理サーバの最も単純な構成例を説明する
図７は、最も単純な管理サーバ１２１の構成例を示したブロック図である。図７において、管理サーバ１２１は、送信部２０４と、ユーザ格納部２２２と、ブログ制御部２１１と、送信部２０４とを含む。なお、管理サーバ１２１は、印刷システム１２２に接続されている。
【００７６】
ユーザ格納部２２２は、ブログデータのアドレスを格納する格納部である。
【００７７】
ブログ制御部２１１は、ユーザ格納部２２２内のアドレスが指定するブログデータが更新されたか否を定期的に判定する。ブログ制御部２１１は、そのブログデータが更新されたと判定すると、そのブログデータを取得する。
【００７８】
送信部２０４は、ブログ制御部２１１が取得したブログデータを印刷装置に送信する。
【００７９】
この場合でも、ブログデータが更新されると、その更新されたブログデータが印刷システムに送信される。したがって、そのＷｅｂデータを印刷することが可能になり、Ｗｅｂデータを印刷物で閲覧することが可能になる。したがって、Ｗｅｂデータの閲覧に対する可読性を向上させることが可能になり、Ｗｅｂデータの未読を減らすことが可能になる。
【００８０】
以上説明した実施形態において、図示した構成は単なる一例であって、本発明はその構成に限定されるものではない。
【００８１】
例えば、上記の実施形態では、Ｗｅｂ端末１１１は、ユーザ宅１１０に配置されていたが、Ｗｅｂ端末１１１として携帯電話などの携帯端末を用いることで、Ｗｅｂ端末１１１を所在自由としてもよい。
【図面の簡単な説明】
【００８２】
【図１】本発明の一実施形態の配達システムを示したブロック図である。
【図２】本発明の一実施形態の管理サーバの構成を示したブロック図である。
【図３】ブログエントリの一例を示した説明図である。
【図４】ユーザエントリの一例を示した説明図である。
【図５】購読するブログデータを登録する登録処理の動作を説明するためのフローチャートである。
【図６】登録されたブログデータを印刷する印刷処理の動作を説明するためのフローチャートである。
【図７】管理サーバの他の構成例を示したブロック図である。
【符号の説明】
【００８３】
１００    インターネット
１１１    Ｗｅｂ端末
１２１    管理サーバ
１２２    印刷システム
１３１    Ｗｅｂサーバ
２０１    受信部
２０２    ブログ管理部
２０３    ユーザ管理部
２０４    送信部
２１１    ブログ制御部
２１２    ブログ格納部
２２１    ユーザ制御部
２２２    ユーザ格納部
【図１】
2009048325.tif 000003
【図２】
2009048325.tif 000004
【図３】
2009048325.tif 000005
【図４】
2009048325.tif 000006
【図５】
2009048325.tif 000007
【図６】
2009048325.tif 000008
【図７】
2009048325.tif 000009